(57)【特許請求の範囲】
【請求項１】
構造物の上面に緑化のための土壌を構成する、不織布を複数層積層してなる立体形状の造形物を造成し、
前記造形物の表面を網目状のシート材で被覆し、
該シート材の周縁を構造物に固定することで前記造形物を構造物上に定着させることを特徴とする構造物の緑化工法。
【請求項２】
請求項１に記載の構造物の緑化工法において、
積層された前記不織布の層間に散水管や施肥管を埋設することを特徴とする構造物の緑化工法。
【請求項３】
請求項１または２に記載の構造物の緑化工法において、
前記シート材の周縁を、前記造形物の周囲を縁どる固定リングで押さえ、この固定リングを前記構造物に固定することにより前記造形物を前記構造物に定着することを特徴とする構造物の緑化工法。
【発明の詳細な説明】
【０００１】
【産業上の利用分野】
この発明は、構造物の屋上などに植栽を施すための土壌として不織布を用いた緑化工法に関するものである。
【０００２】
【従来の技術】
最近ではビルなどの屋上やバルコニーに植栽を施すことにより都市部に不足する緑を拡大することが行われている。この緑化用土壌として通常の土を用いた場合には潅水量に応じて屋上部に相当な荷重が加わるため、新築の建築物ではこれらの荷重に耐えられる構造の躯体を予め設計して構築しなければならず、建設費の上昇に繋がる。また、既存建築物の場合にはその耐荷重は予め定まってしまっているため、耐荷重向上のための改良を施すか、場合によっては植栽を断念する場合もある。
【０００３】
したがって、従来では各種軽量土壌を用いることによって、少しでも荷重の増加を軽減することが行われているが、それでも３０cm厚当たりの荷重は３００Kg／m 2 の荷重増となる。さらには土壌による排水孔の目詰まりや、風散等による汚染の問題もあった。
【０００４】
これに対し土に代えて不織布を用いることも提案されている。このものは前記軽量土壌に比べてその荷重は１／７程度と軽量であり、保水，保肥性に優れ、根張りを妨げることがなく、しかも排水孔の目詰まりや風散がなくまた植栽用不織布の交換も容易に行なえる利点があり、適度な潅水システムと組み合わせることにより植栽が可能となる。
【０００５】
【発明が解決しようとする課題】
前記不織布は軽量であるがゆえに、風等の煽りを受けて浮き上がる惧れがあり、また灌木のごとき低木を植栽した場合には自立性を十分に確保することができず、強風などにより移動したり転倒する虞れがある。
【０００６】
したがって、該種不織布は実際には単に平らに敷き並べただけで使用され、専ら芝生または花などの植栽程度にしか利用できなかった。
【０００７】
この発明は、不織布自体の構造物に対する定着を図るとともに、植栽が樹木である場合に自立性を保持できるようにすることを目的とする。
【０００８】
またこの発明は、造形の自由度が高い構造物の緑化工法を提供することを他の目的とする。
【０００９】
【課題を解決するための手段】
前記目的を達成するため、この発明の緑化工法は、構造物の上面に緑化のための土壌を構成する、不織布を複数層積層してなる立体形状の造形物を造成し、前記造形物の表面を網目状のシート材で被覆し、該シート材の周縁を構造物に固定することで前記造形物を構造物上に定着させることを特徴とする。
また、このような構造物の緑化工法において、積層された前記不織布の層間に散水管や施肥管を埋設することとしてもよいし、前記シート材の周縁を前記造形物の周囲を縁どる固定リングで押さえ、この固定リングを前記構造物に固定することにより前記造形物を前記構造物に定着することとしてもよい。
【００１０】
【作用】
以上の構成によれば、不織布により構成される造形物はシート材によって浮き上がり防止される。植栽はシート材の網目の間から表面に成長する。成長時において植栽の幹，茎の周囲は網目間に拘束される。不織布の積層方法や組合せにより築山その他造園用の造形物を自由に設計できる。
【００１１】
【実施例】
図１（ａ）〜（ｃ）はこの発明にかかる緑化工法の施工手順を示す。同図は造園設計のうち造形物として築山の施工に適用したもので、図１（ａ）に示すように、表面防水施工されたビルなどの屋上等の構造物１の表面に、所定厚みの不織布２を円盤状となるように集積し、この円盤の径を小さくしたものを順次３ないし４段積層することにより、図１（ｂ）に示すように、多段円形の立体形状の築山３が造成される。
【００１２】
なお、不織布２は、一般にその密度や製造方法によって形状が異なり、図２  （ａ）に示すように柔らかいフェルト状の不織布２はロール状をなした状態で供給されるか、図２（ｂ）に示すように、密度が高く剛性の高い不織布２である場合には、例えば定尺もののボード状で供給される。
【００１３】
いずれの形態の不織布２であっても、現場で展張しつつ水平に敷設し、カッターなどにより縁部を切断して造園設計に応じた築山３の形状に合わせながら敷設作業を行なう。なお、各不織布２同士は積層方向および横方向で適宣箇所スポット的に接着しても良いし、他の機械的な位置決め連結手段を用いて結合することも可能である。さらには必要に応じて不織布２の層間に散水システムなどの散水管や施肥管も埋設することもできる。
【００１４】
さらに、不織布２の積層厚みは植栽の種類によっても異なるが、少くとも該当する植物の成長や根張りに支障のない深さに対応する厚みに計画される。
【００１５】
築山３の造成後、必要に応じて種蒔きあるいは芝生等の移植を行うことができる。芝生の場合には所定面積に揃えたものを単に表面に敷設し、竹釘などによって築山３上に定着させれば良い。
【００１６】
次いで図１（ｃ）に示すように築山３の上面を網目状のシート４で覆い、シート４の周縁を築山３の周囲を縁どる固定リング５で押さえ、アンカーボルト６などにより固定リング５を構造物１の表面に固定し、シート４の周縁を構造物１と固定リング５の間に挾持することで、築山３は構造物１上に定着し、風などの煽りを受けることによる浮き上がりが防止される。
【００１７】
なお、植栽のうち芝生の場合、シート４を被せる以前に敷設しても芝草はシート４の網目の間から成長し、築山３の表面全体を覆うことができ、また種蒔による植栽の場合にもその芽は網目の間から成長することになる。
【００１８】
図３は施工を完了した築山３の断面を示し、不織布２の各段部は被せられたシート４の緊張力により潰され、なだらかな丘状の築山３となる。
【００１９】
なお、以上の築山３の平面形状や面積、最大積層厚み等は屋上造園計画に応じて適宜設定できるが、不織布２や植栽、潅水を施した場合における総合重量と、構造物の耐荷重を考慮して設定される。
【００２０】
また、図１（ｂ）の築山３の造成後以外に、図３に示す完成後に樹木７の植栽を行なうこともできる。この場合は発根したさし木の移植、または成長樹木の移植等の方法であるが、いずれもシート４の網目の間において、不織布２をクロスカットし、そのクロスカットした中心に植えこみ、潅水すれば植栽作業を完了する。シート４のメッシュの大きさは植栽の種類に応じて選択される。
【００２１】
成長時において樹木７の幹の周囲はシート４の網目に拘束されてある程度転倒防止されるが、針金などの支線による支持手段を用いて３点支持することで転倒を確実に防止できる。
【００２２】
以上説明した植栽の種類やその配植については、施主の好みに応じた造園計画に応じて行なわれるが、特に構造物が高層ビル等の屋上部では風，雨及び日射等が顕著であるから、これらの厳しい気象条件に適合する種類が選択される。
【００２３】
なお、前記実施例では、この発明を円形の築山に適用した場合を示したが、造園計画に応じて種々の変形施工が可能である。
【００２４】
【発明の効果】
この発明による構造物の緑化工法は、軽量土壌を用いた場合に比べてその荷重が全体として１／７に低減し、構造物の耐荷重を軽減でき、既存構造物に植栽を施す場合に有利である。不織布による造形物はシート材によって覆われているため、風などの煽りを受けて浮き上がる惧れがなく、土埃などの発生もない利点がある。
【００２５】
またこの発明における植栽はシート材の網目の間から表面に成長し、成長時において植物の幹，茎の周囲は網目間に拘束されるため、簡単な支持手段だけで低木を植栽する場合の自立性も十分に確保できる。
【００２６】
さらにこの発明では、不織布の積層方法の選択により築山その他造園用の地形を自由に造形でき、設計の自由度も高い利点がある。
【図面の簡単な説明】
【図１】（ａ）〜（ｃ）はこの発明の緑化工法を築山の造成に適用した施工手順を示す説明図である。
【図２】（ａ），（ｂ）は不織布の形状例を示す説明図である。
【図３】施工完了した築山の断面図である。
【符号の説明】
１  構造物
２  不織布
３  築山（造形物）
４  網目状シート
６  アンカーボルト
７  樹木
【図１】
0003733611.tif 000002
【図２】
0003733611.tif 000003
【図３】
0003733611.tif 000004